(57)【要約】【課題】多数の雌コネクタが近接して配設されている電子機器において、雄コネクタの挿入ミスにより雌コネクタが破損するという問題があった。【解決手段】雄コネクタの挿入部を挿入する雌コネクタを備えた電子機器において、雄コネクタは、挿入部と、ケーブルが接続された接続部とが本体部の対向面に形成されており、雌コネクタから挿入部および本体部の長さに相当する位置であって、ケーブルに隣接する位置に、誤挿入防止部材を設けた【選択図】  図５
2010073697.tif 000002
【特許請求の範囲】
【請求項１】
雄コネクタの挿入部を挿入する雌コネクタを備えた電子機器において、
該雄コネクタは、前記挿入部と、ケーブルが接続された接続部とが本体部の対向面に形成されており、
前記雌コネクタから前記挿入部および前記本体部の長さに相当する位置であって、前記ケーブルに隣接する位置に、誤挿入防止部材を備えたことを特徴とする電子機器。
【発明の詳細な説明】
【技術分野】
【０００１】
本発明は、コネクタの誤挿入防止部材を備えた電子機器に関するものである。
【背景技術】
【０００２】
コンピュータ等の電子機器は、一般に、外部の周辺機器と接続するための雄コネクタおよび／または雌コネクタを備えている。これら雄コネクタおよび／または雌コネクタの多くは、接続する相手である雌コネクタまたは雄コネクタに固定されたケーブル（ハーネス）の引き回しを考慮して、電子機器の筐体の側面等に配設されている。また、ケーブルに固定されたコネクタの多くは雄コネクタのため、電子機器の筐体の側面等に雌コネクタが配設されるものが多い。
【０００３】
電子機器の筐体に配設される雌コネクタの代表的なものとして、ＵＳＢ(Universal  Serial  Bus)コネクタ、Ｓ−ＶＩＤＥＯ(Separate  Video)コネクタ、ＬＡＮ（Local  Area  Network：ローカルエリアネットワーク、ＲＪ４５タイプ）コネクタ等が挙げられる（例えば、特許文献１〜特許文献４参照）。
【先行技術文献】
【特許文献】
【０００４】
【特許文献１】特開２０００−２７６２７０号公報
【特許文献２】特開２００５−２２８０６３号公報
【特許文献３】特開２００７−３０１８２２号公報
【特許文献４】特開２００９−０２０５５７号公報
【発明の概要】
【発明が解決しようとする課題】
【０００５】
しかし、近年の電子機器には、コネクタが種類を問わず複数個、密集して設けており、コネクタの形状も大小さまざまである。このため、例えば、ケーブル付きの小型の雄コネクタを、筐体に配設された小型の雌コネクタに挿入することにより電子機器と外部機器を接続する際、当該小型の雄コネクタを電子機器に配設された別の大型の雌コネクタに挿入するという、所謂誤挿入、誤装着の問題が多発している。
【０００６】
かかる問題により生じる弊害を以下に例示する。
例えば、ＬＡＮコネクタの雌コネクタと、ＵＳＢコネクタ（Ｓｅｒｉｅｓ−Ｂ）の雌コネクタが並んで筐体の側面に配設された電子機器の場合、ＬＡＮコネクタの雌コネクタの開口部のサイズは、ＵＳＢコネクタ（Ｓｅｒｉｅｓ−Ｂ）の雄コネクタの挿入部のサイズより大きいため、ＬＡＮコネクタの雌コネクタの開口部にＵＳＢコネクタ（Ｓｅｒｉｅｓ−Ｂ）の雄コネクタを誤って挿入する場合がある。この場合、ＬＡＮコネクタの雌コネクタ内部の端子が折れたり、雌コネクタ内部の端子同士が短絡（ショート）する等の破損の問題が発生する。
【０００７】
本発明は、前記した問題に鑑みてなされたものであり、電子機器の筐体に配設された雌コネクタに、外部周辺機器から引き回されたケーブルに固定された雄コネクタを誤って挿入（接続）することを未然に防止できる電子機器を提供することを目的とする。
【課題を解決するための手段】
【０００８】
本発明は、雄コネクタの挿入部を挿入する雌コネクタを備えた電子機器において、雄コネクタは、挿入部と、ケーブルが接続された接続部とが本体部の対向面に形成されており、雌コネクタから挿入部および本体部の長さに相当する位置であって、ケーブルに隣接する位置に、誤挿入防止部材を備えたことを特徴とする。
【０００９】
誤挿入防止部材は、電子機器に配設された雌コネクタより前方で、雌コネクタに対応した雄コネクタの挿入部および本体部の長さに相当する位置にあり、かつ雄コネクタのケーブルに隣接する位置にある。このため、当該誤挿入防止部材を備えた電子機器には、雌コネクタに対応した雄コネクタしか挿入（接続）できない。
【発明の効果】
【００１０】
本発明は、コネクタの誤挿入を防止できる電子機器を提供できる。
【図面の簡単な説明】
【００１１】
【図１】本発明に係る挿入防止部材を備えた電子機器の背面斜視図（実施例１）
【図２】本発明に係る挿入防止部材を備えた電子機器の部分拡大図（実施例１）
【図３】本発明に係る電子機器に接続するＬＡＮケーブルの概略構成図（実施例１）
【図４】本発明に係る電子機器に接続するＵＳＢケーブルの概略構成図（実施例１）
【図５】本発明に係る挿入防止部材の概略構成図（実施例１）
【発明を実施するための形態】
【００１２】
本発明を具体的に説明するための実施例を以下に記載する。なお、本発明は、これらの実施例により何ら限定されるものではない。
【実施例１】
【００１３】
図１〜図５に本発明を具体的に説明するための実施例を示す。
図１は、本発明に係る電子機器の斜視図である。図２は、図１の点線部Ａを拡大した部分拡大図である。尚、本実施例１では、電子機器として、用紙にトナー像を形成するレーザープリンタを例示して説明する。尚、レーザープリンタは広く知られた電子機器であるため、誤挿入防止部材に関連する部分以外の部分の説明は、説明を分かりやすくするため省略する。
【００１４】
〔電子機器〕
図１および図２に示す電子機器としてのレーザープリンタ１の背面には、開口部を備えた雌コネクタとしてのＬＡＮコネクタ２と、開口部を備えた雌コネクタとしてのＵＳＢコネクタ（Ｓｅｒｉｅｓ−Ｂ）３が並んで配設されている。そして、ＬＡＮコネクタ２の前方には、コネクタの誤挿入を防止する誤挿入防止部材４が備え付けられている。
【００１５】
〔ＬＡＮケーブル〕
図３に示すように、レーザープリンタ１の背面に配設されたＬＡＮコネクタ２に接続するＬＡＮケーブルの雄コネクタ５は、ＬＡＮコネクタ２の開口部に挿入する挿入部６と、ケーブル８に接続された接続部９が本体部７の対向面に形成されている。挿入部６および本体部７の長さ（寸法Ｆ）は、約４０ｍｍである。
【００１６】
〔ＵＳＢケーブル〕
図４に示すように、レーザープリンタ１の背面に配設されたＵＳＢコネクタ３に接続するＵＳＢケーブルの雄コネクタ１０は、ＵＳＢコネクタ３の開口部１５（図５）に挿入する挿入部１１と、ケーブル１３が接続された接続部１４とが本体部１２の対向面に形成されている。挿入部１１と、本体部１２の長さ（寸法Ｈ）は、約４６ｍｍである。
【００１７】
〔誤挿入防止部材〕
図５は、図２の点線部Ｂを拡大した部分拡大図である。
図５に示すように、誤挿入防止部材４は、熱可塑性プラスチック樹脂（例えば、ＡＢＳ樹脂）を主成分とした直径４ｍｍのＬ字形状の棒状部材が２本略平行に配設されたものである。２本の誤挿入防止部材４の一端はＬＡＮコネクタ２の開口部１５の近傍に固定され、他端は開口部１５より前方約４２ｍｍ（寸法Ｇ）に位置している。
【００１８】
この寸法Ｇの長さは、ＬＡＮコネクタ２の開口部１５に挿入するＬＡＮケーブルの挿入部６および本体部７の長さ（寸法Ｆ＝約４０ｍｍ）より若干大きく設定されており、ＵＳＢケーブルの挿入部１１および本体部１２の長さ（寸法Ｈ＝約４６ｍｍ）より小さく設定されている（寸法Ｆ＜寸法Ｇ＜寸法Ｈ）。
【００１９】
このため、誤挿入防止部材４を備えたＬＡＮコネクタ２には、当然のことながらＬＡＮケーブルの挿入部６を挿入することができる。しかし、ＵＳＢケーブルの挿入部１１は、誤挿入防止部材４の他端が本体部１２に当たるので、ＬＡＮコネクタ２の開口部１５に挿入することできない。
【００２０】
このように、本発明に係る誤挿入防止部材４を、電子機器の誤挿入（誤装着）しやすい雌コネクタの前方に配設することにより、当該雌コネクタに本来挿入すべき雄コネクタしか挿入できなくなる。これにより、コネクタの誤挿入を防止できる。
【００２１】
前記した実施例は、説明のために例示したものであって、本発明としてはそれらに限定されるものではなく、特許請求の範囲、明細書および図面の記載から当業者が認識することができる本発明の技術的思想に反しない限り、変更、削除および付加が可能である。
【産業上の利用可能性】
【００２２】
本発明は、コネクタを備えた電子機器に適用できる。
【符号の説明】
【００２３】
１  レーザープリンタ
２  ＬＡＮコネクタ
３  ＵＳＢコネクタ
４  誤挿入防止部材
５  ＬＡＮケーブルの雄コネクタ
６  ＬＡＮケーブルの挿入部
７  ＬＡＮケーブルの本体部
８  ＬＡＮケーブルのケーブル
９  ＬＡＮケーブルの接続部
１０  ＵＳＢケーブルの雄コネクタ
１１  ＵＳＢケーブルの挿入部
１２  ＵＳＢケーブルの本体部
１３  ＵＳＢケーブルのケーブル
１４  ＵＳＢケーブルの接続部
１５  開口部
【図１】
2010073697.tif 000003
【図２】
2010073697.tif 000004
【図３】
2010073697.tif 000005
【図４】
2010073697.tif 000006
【図５】
2010073697.tif 000007